(57)【特許請求の範囲】
【請求項１】
グランドピアノのアクション機構の一部を構成するハンマーシャンクであって、
ハンマーが取り付けられる棒状のハンマー取付部材と、所定の取付位置に回動自在に取り付けられる回動取付部材とが結合されてなり、
前記回動取付部材に設けられた貫通穴に、該貫通穴の全長にわたって前記ハンマー取付部材が通された状態で、前記ハンマー取付部材と前記回動取付部材とが結合されており、
さらに、
前記ハンマー取付部材の端面にネジをねじ込んで、該ネジで前記ハンマー取付部材の外径が拡大する方向へ作用する押圧力を発生させることにより、前記ハンマー取付部材の外周面を前記貫通穴の内周面に圧接させてある
ことを特徴とするハンマーシャンク。
【請求項２】
前記貫通穴の内周面と前記ハンマー取付部材の外周面との間にくさび部材を打ち込むことによって、前記ハンマー取付部材と前記回動取付部材とが結合されている
ことを特徴とする請求項１に記載のハンマーシャンク。
【請求項３】
前記回動取付部材にねじ込まれるネジ部と、該ネジ部がねじ込まれた状態で前記くさび部材に当接する当接部とからなる抜け防止部材によって、前記くさび部材が、前記ハンマー取付部と前記回動取付部材との間から抜けることを防止している
ことを特徴とする請求項２に記載のハンマーシャンク。
【請求項４】
前記貫通穴がテーパ状に形成されており、前記ハンマー取付部材と前記回動取付部材とがリング状の前記くさび部材によって結合されている
ことを特徴とする請求項２または請求項３に記載のハンマーシャンク。
【請求項５】
前記くさび部材にスリットが設けられており、該スリットの幅を狭める、または、拡げるように前記くさび部材を変形させることにより、該くさび部材の外径を変更可能に構成されている
ことを特徴とする請求項４に記載のハンマーシャンク。
【発明の詳細な説明】
【０００１】
【発明の属する技術分野】
本発明は、グランドピアノのハンマーシャンクに関する。
に関する。
【０００２】
【従来の技術】
通常、グランドピアノのアクション機構の一部を構成するハンマーシャンクは、ハンマーを取り付ける棒状のハンマー取付部材と、ハンマーシャンクフレンジに回動自在に取り付けられる二股形状の回動取付部材とが一体に形成されている。
【０００３】
このようなハンマーシャンクは、ハンマー取付部材に一定の強度が要求されることから、通常は、高価な木製材料を使用して製造されており、ハンマーシャンク自体の材料費が高いという問題があった。そこで、この問題の対策として、ハンマー取付部材と回動取付部材とを別体に構成したハンマーシャンクが提案されている。例えば、実開昭５５−７７２８４号公報には、回動取付部材に設けられた所定の深さの嵌合穴にハンマー取付部材を嵌合させて、ハンマー取付部材と回動取付部材とをネジ止めにより結合したハンマーシャンクが記載されている。
【０００４】
このようなハンマーシャンクによれば、ハンマー取付部材よりも高い強度を必要としない回動取付部材を、木製材料よりも安価で加工が容易な材料（例えば、樹脂材料）で製造することができる。そのため、回動取付部材に相当する材料費を抑えることができ、回動取付部材を高い加工精度で容易に製造することができた。
【０００５】
【発明が解決しようとする課題】
しかし、このようなハンマーシャンクは、以下に示したような問題があった。
それは、ハンマー取付部材と回動取付部材との取付強度を充分に高くすることができないという問題である。上述のハンマーシャンクは、回動取付部材に設けられた所定の深さの嵌合穴にハンマー取付部材を嵌合させることによって両者を結合している。このような固定方法は、ハンマー取付部材と回動取付部材との接触面積が小さく、摩擦抵抗も小さいため、両者の取付強度を充分に高くできなかった。そのため、打鍵の衝撃や、ハンマーが弦に衝突したときの衝撃などによって、ハンマー取付部材と回動取付部材との結合部分が変形してしまったり、ハンマー取付部材と回動取付部材との結合が解除されてしまう恐れがあった。この問題を解決するためには、回動取付部材をハンマー取付部材の軸方向に延びるような形状として、ハンマー取付部材のうち回動取付部材に嵌合される長さを長くすれば、ハンマー取付部材と回動取付部材との接触面積が大きくなり、両者の取付強度を高くすることができるはずである。しかし、ハンマーシャンクは、ピアノ内部の狭い空間に数多く配列されるものであるため、回動取付部材の形状が大きく変わってしまうと、アクション機構の動作を妨げる恐れがあることから好ましくない。
【０００７】
本発明は、ハンマー取付部とフレンジ取付部とが別体で構成されているハンマーシャンクにおいて、ハンマー取付部とフレンジ取付部との取付強度を従来よりも高くすることのできるハンマーシャンクを提供することを目的とする。
【０００８】
【課題を解決するための手段および発明の効果】
上記第１の問題を解決するため請求項１に記載のハンマーシャンクは、
ピアノのアクション機構の一部を構成するハンマーシャンクであって、
ハンマーが取り付けられる棒状のハンマー取付部材と、所定の取付位置に回動自在に取り付けられる回動取付部材とが結合されてなり、
前記回動取付部材に設けられた貫通穴に、該貫通穴の全長にわたって前記ハンマー取付部材が通された状態で、前記ハンマー取付部材と前記回動取付部材とが結合されている
ことを特徴とする。
【０００９】
このように構成されたハンマーシャンクによれば、ハンマー取付部材と回動取付部材とが、回動取付部材を貫通している貫通穴の全長にわたってハンマー取付部材が通された状態で結合される。そのため、ハンマー取付部材の嵌合する嵌合穴が貫通していない従来の構成に比べて、ハンマー取付部材と回動取付部材との接触面積が大きくなり、摩擦抵抗も大きくなる。よって、回動取付部材の形状を大きく変更することなく、従来よりもハンマー取付部材と回動取付部材との取付強度を高くすることができる。
【００１０】
また、上述のハンマーシャンクは、さらに、前記ハンマー取付部材の端面にネジをねじ込んで、該ネジで前記ハンマー取付部材の外径が拡大する方向へ作用する押圧力を発生させることにより、前記ハンマー取付部材の外周面を前記貫通穴の内周面に圧接させてあることを特徴とする。
【００１１】
このように構成されたハンマーシャンクによれば、ハンマー取付部材の端面にねじ込まれたネジが、ハンマー取付部材の外周面を貫通穴の内周面に圧接させている。そのため、ハンマー取付部材が貫通穴から外れにくくなり、ハンマー取付部材と回動取付部材との取付強度をより高くすることができる。
【００１２】
なお、ハンマー取付部材の端面には、外径が拡大する方向へ作用する押圧力を発生させることができれば、ネジ以外に、例えば、釘などを打ち込むように構成してもよい。この場合であっても、上述のハンマーシャンクと同様の作用、効果を得ることができる。
【００１３】
また、請求項２に記載のハンマーシャンクは、前記貫通穴の内周面と前記ハンマー取付部材の外周面との間にくさび部材を打ち込むことによって、前記ハンマー取付部材と前記回動取付部材とが結合されていることを特徴とする。
【００１４】
このように構成されたハンマーシャンクによれば、くさび部材により貫通穴の内周面およびハンマー取付部材の外周面が押圧されることによって、ハンマー取付部材と回動取付部材とが結合されている。そのため、ハンマー取付部材が貫通穴から外れにくくなり、ハンマー取付部材と回動取付部材との取付強度をより高くすることができる。
【００１５】
また、請求項３に記載のハンマーシャンクは、前記回動取付部材にねじ込まれるネジ部と、該ネジ部がねじ込まれた状態で前記くさび部材に当接する当接部とからなる抜け防止部材によって、前記くさび部材が、前記ハンマー取付部と前記回動取付部材との間から抜けることを防止していることを特徴とする。
【００１６】
このハンマーシャンクにおける抜け防止部材は、ネジ部と当接部を備えている部材であればよく、例えば、頭部分が当接部として機能するネジなどを利用することができる。
このように構成されたハンマーシャンクによれば、くさび部材がハンマー取付部と回動取付部材との間から抜けてしまうことによって、ハンマー取付部材と回動取付部材との結合が解除されてしまうといったことを防止できる。
【００１７】
なお、抜け防止部材としては、くさび部材が抜けることを防止できればよく、例えば、前記回動取付部材に打ち込まれる打込部と、該打込部が打ち込まれた状態で前記くさび部材に当接する当接部とからなる抜け防止部材によって、前記くさび部材が、前記ハンマー取付部と前記回動取付部材との間から抜けることを防止するように構成してもよい。このように構成した場合でも、請求項３に記載のハンマーシャンクと同様の作用、効果を得ることができる。
【００１８】
また、請求項４に記載のハンマーシャンクは、前記貫通穴がテーパ状に形成されており、前記ハンマー取付部材と前記回動取付部材とがリング状の前記くさび部材によって結合されていることを特徴とする。
【００１９】
このように構成されたハンマーシャンクによれば、貫通穴がテーパ状に形成されているため、ハンマーシャンクの組立時に、貫通穴の内周面がハンマー取付部材を通す際の妨げになりにくく、ハンマー取付部材を容易に貫通穴に通すことができる。さらに、くさび部材は、リンク状に形成されているため、ハンマー取付部材を包み込むように均等にハンマー取付部材の外周面を押圧すると共に、貫通穴の内周面を均等に押圧することができる。そのため、ハンマー取付部材と回動取付部材とを結合させる際に、ハンマー取付部材が貫通穴の中心軸上からずれるといったことが起こりにくく、ハンマー取付部材を貫通穴の中心軸上に正しく位置させた状態で、ハンマー取付部材と回動取付部材とを結合させることができる。
【００２０】
また、請求項５に記載のハンマーシャンクは、前記くさび部材にスリットが設けられており、該スリットの幅を狭める、または、拡げるように前記くさび部材を変形させることにより、該くさび部材の外径を変更可能に構成されていることを特徴とする。
【００２１】
このように構成されたハンマーシャンクによれば、くさび部材に設けられたスリットの幅を狭める、または、拡げるだけで、スリットが設けられていない場合よりも容易にくさび部材の外径を変更することができる。そのため、くさび部材が、貫通穴の内周面とハンマー取付部材の外周面との間にぴったりと打ち込むことができないような外径となっていた場合でも、貫通穴の内周面とハンマー取付部材の外周面との隙間に合わせて外径を変更しながらくさび部材を打ち込むことができる。
【００２２】
ところで、ハンマーシャンクは、ハンマー取付部材８１の強度を高める目的で、ハンマー取付部材８１の長さ方向と垂直な断面における木理の方向（図１２における矢印ａ参照）がハンマーシャンクの回動する方向（図１２における矢印ｂ参照）を向くように構成されている。なお、ここでいう木理の方向とは、木理の線が延びる方向である。そのため、ハンマー取付部材と回動取付部材とを別体に構成した場合であっても、ハンマー取付部材の長さ方向と垂直な断面における木理の方向をハンマーシャンクの回動する方向に向けた状態で、ハンマー取付部材と回動取付部材とを結合させる必要がある。このように木理の方向をハンマーシャンクの回動する方向に向ける作業は、作業者が、ハンマー取付部材と回動取付部材とを結合する毎に行う必要があるため、ハンマーシャンクを組み立てる際の手間を増加させてしまう。
このような問題を解決するためのハンマーシャンクとしては、グランドピアノのアクション機構の一部を構成するハンマーシャンクであって、ハンマーが取り付けられる棒状のハンマー取付部材と、所定の取付位置に回動自在に取り付けられる回動取付部材とを嵌合させることによって両者を結合した構造となっており、前記ハンマー取付部材と前記回動取付部材との嵌合部分の形状が、前記ハンマー取付部材の長さ方向に垂直な断面における木理の方向を前記回動取付部材の回動する方向に向けることにより、前記ハンマー取付部材と前記回動取付部材とを嵌合させることができるようになる形状となっている、ような構成が考えられる。
【００２３】
このハンマーシャンクにおける嵌合部分の形状は、ハンマー取付部材の長さ方向に垂直な断面における木理の方向を、回動取付部材の回動する方向に向けることができる形状であれば、その具体的な形状については特に限定されない。例えば、ハンマー取付部に凸部（または凹部）を設けて、この凸部に嵌合可能な凹部（または凸部）を回動取付部材に設ければよい。なお、ここでいう木理の方向とは、木理の線が延びる方向である。
【００２４】
このように構成されたハンマーシャンクによれば、ハンマー取付部材と回動取付部材とを嵌合部分の形状に合わせて嵌合させるだけで、ハンマー取付部材の長さ方向に垂直な断面における木理の方向が、回動取付部材の回動する方向に向けられるため、ハンマーシャンクを組み立てる際の手間を軽減できる。
【００２５】
ところで、ピアノのアクション機構の一部を構成するハンマーシャンクは、木製材料で形成されているため、使用を続けているうちにねじれが発生してしまうことがある。このようなねじれは、ハンマーシャンクに取り付けられているハンマーを傾けてしまう要因になる。ハンマーｈは、ハンマーフェルトの平らな面が弦ｓを垂直に打撃するように取り付けられているが（図１３（ａ）参照）、ハンマーｈが傾いてしまうと、弦ｓを垂直に打撃することができなくなり目的とする音が出なくなってしまう（図１３（ｂ）参照）。このような場合、従来は、ハンマーシャンクを熱することでハンマーの傾きを矯正することが行われていた。
【００２６】
しかし、このような矯正方法では、ハンマーシャンクを熱するための道具を用意する必要があるため、ハンマーの傾きを矯正する作業を容易に行うことができない。また、ハンマーの傾きを矯正した後であっても、時間の経過と共にハンマーシャンクがねじれた状態に戻ってしまい、再度ハンマーが傾いてしまうことがあった。
【００２７】
また、例えば、実開昭５５−７７２８４号公報に記載のハンマーシャンクのように、ハンマー取付部材と回動取付部材とを別体に構成したハンマーシャンクであれば、ハンマー取付部材と回動取付部材との結合を解除し、ハンマーの傾きを直した後に再度ハンマー取付部材と回動取付部材とを結合するといった方法でハンマーの傾きを矯正することも考えられる。しかし、上述のハンマーシャンクは、ハンマー取付部材と回動取付部材とがネジ止めによって結合されているため、ネジ止め位置にネジ穴が形成されてしまい、ハンマーの僅かな傾きを矯正する場合には、形成済のネジ穴付近でネジ止めしなければならず、ハンマー取付部材に充分にネジをねじ込むことができない恐れがある。このことから、上述のハンマーシャンクは、ハンマーの傾きを容易に矯正することができなかった。
【００２８】
そこで、以下のように構成することが考えられる。
すなわち、グランドピアノのアクション機構の一部を構成するハンマーシャンクであって、ハンマーが取り付けられる棒状のハンマー取付部材と、所定の取付位置に回動自在に取り付けられる回動取付部材とが、筒状の結合部材によって結合されてなり、前記回動取付部材が、前記ハンマー取付部材を嵌合可能な第１筒状部と、該第１筒状部の外周面に設けられた雄ねじ部と、前記第１筒状部から該第１筒状部の長さ方向に延出する第２筒状部とを備え、前記結合部材が、該結合部材の内周面に設けられた雌ねじ部およびテーパ部を備えており、前記回動取付部材の前記雄ねじ部と、前記結合部材の前記雌ねじ部とを螺合させて、前記結合部材を前記回動取付部材に接近させることに伴い、前記結合部材の前記テーパ部が、前記回動取付部材の前記第２筒状部を介して前記ハンマー取付部材を押圧することによって、前記ハンマー取付部材と前記回動取付部材とが結合されている、といった構成である。
【００２９】
このように構成されたハンマーシャンクによれば、雄ねじ部と雌ねじ部の螺合箇所においてねじがゆるむ方向へ結合部材を回転させると、結合部材のテーパ部から第２筒状部を介してハンマー取付部材に作用する押圧力が弱まるので、ハンマー取付部材と回動取付部材との相対的な位置関係を任意に変更できる状態になる。また、ハンマー取付部材と回動取付部材との相対的な位置関係を最適化した後は、雄ねじ部と雌ねじ部の螺合箇所においてねじが締まる方向へ結合部材を回転させると、結合部材のテーパ部から第２筒状部を介してハンマー取付部材に作用する押圧力が強まるので、ハンマー取付部材と回動取付部材との相対的な位置関係が固定される。したがって、ハンマーシャンクにねじれが発生して、ハンマーが傾いてしまった場合でも、結合部材を回転させるという簡単な操作によって、ハンマー取付部材と回動取付部材との相対的な位置関係を調節し、ハンマーの傾きを容易に矯正することができる。
【００３０】
また、ハンマー取付部材の外周面は、第２筒状部の内周面全体で押圧されるため、ハンマー取付部材に第２筒状部が食い込みにくく、ハンマー取付部材の損傷を防止できる。これによって、ハンマー取付部材と回動取付部材との結合および結合解除を繰り返した後でも、両者をネジ止めする場合のネジ穴のように大きな損傷が残らないため、ネジ止めする場合よりも両者を高い取付強度で結合することができる。
【００３１】
また、上述のハンマーシャンクは、前記回動取付部材の前記第２筒状部にスリットが設けられ、該スリットの幅を狭める、または、拡げるように前記第２筒状部を変形させることにより、該第２筒状部の外径を変更可能に構成してもよい。
【００３２】
このように構成されたハンマーシャンクによれば、第２筒状部に設けられたスリットの幅を狭める、または、拡げるだけで、スリットが設けられていない場合よりも容易に第２筒状部の外径を変更することができる。そのため、回動取付部材の雄ねじ部と結合部材の雌ねじ部とを螺合させる際、結合部材のテーパ部により押圧される第２筒状部の外径が容易に変形するため、スリットが設けられていない場合よりもハンマー取付部材と回動取付部材とを容易に結合させることができる。
【００３３】
また、上述のハンマーシャンクは、前記回動取付部材の前記第２筒状部が、前記第１筒状部とは別体の部材によって形成されていてもよい。
【００３４】
このように構成されたハンマーシャンクによれば、第２筒状部が、第１筒状部とは別体の部材によって形成されているため、第２筒状部を第１筒状部とは異なる材料で形成することができる。これによって、例えば、ハンマー取付部材の第２筒状部により押圧される位置の損傷を防止するために第１筒状部よりも柔らかい材料で第２筒状部を形成するといったことが可能になる。
【００３５】
【発明の実施の形態】
次に本発明の実施の形態について例を挙げて説明する。
［第１実施形態］
ハンマーシャンク１０は、グランドピアノのアクション機構の一部を構成するものであって、図１に示すように、一端側（図１における左側）にハンマー１００が取り付けられて、他端側（図１における右側）がハンマーシャンクフレンジ２００に回動自在に取り付けられるものである。こうしてハンマーシャンク１０は、ハンマーシャンクフレンジ２００に取り付けられた他端側を中心に回動可能となる（図１における矢印参照）。
【００３６】
このハンマーシャンク１０は、ハンマー１００が取り付けられる棒状のハンマー取付部材１１と、ハンマーシャンクフレンジ２００に回動自在に取り付けられる二股形状の回動取付部材１２とが結合されてなるものである。
回動取付部材１２には、図２に示したように、貫通穴１３が設けられており、この貫通穴１３の全長にわたってハンマー取付部材１１が通された状態で、ハンマー取付部材１１と回動取付部材１２とが結合されている。
【００３７】
また、ハンマー取付部材１１には、貫通穴１３に通された側の端面にネジ１４がねじ込まれており、このネジ１４がハンマー取付部材１１の外径を拡大させる方向へ作用する押圧力を発生させている。これによって、ハンマー取付部材１１の外周面は貫通穴１３の内周面に圧接している。
【００３８】
このように構成されたハンマーシャンク１０によれば、ハンマー取付部材１１と回動取付部材１２とが、回動取付部材１２を貫通している貫通穴１３の全長にわたってハンマー取付部材１１が通された状態で結合される。そのため、ハンマー取付部材の嵌合する嵌合穴が貫通していない構成に比べて、ハンマー取付部材１１と回動取付部材１２との接触面積が大きくなり、摩擦抵抗も大きくなる。よって、回動取付部材１２の形状を大きく変更することなく、ハンマー取付部材１１と回動取付部材１２との取付強度を高くすることができる。
【００３９】
また、ハンマー取付部材１１の端面にねじ込まれたネジ１４によって、ハンマー取付部材１１の外周面を貫通穴１３の内周面に圧接させている。そのため、ハンマー取付部材１１が貫通穴１３から外れにくくなり、ハンマー取付部材１１と回動取付部材１２との取付強度をより高くすることができる。
【００４０】
なお、以上説明したハンマーシャンク１０においては、ネジ１４によって、ハンマー取付部材１１の外径が拡大する方向へ作用する押圧力を発生させるように構成されているが、ネジ１４以外に、例えば、釘などを打ち込むように構成した場合でも同様の作用、効果を得ることができる。
【００４１】
［第２実施形態］
ハンマーシャンク２０は、グランドピアノのアクション機構の一部を構成するものであって、図３に示すように、一端側（図３における左側）にハンマー１００が取り付けられて、他端側（図３における右側）がハンマーシャンクフレンジ２００に回動自在に取り付けられるものである。こうしてハンマーシャンク２０は、ハンマーシャンクフレンジ２００に取り付けられた他端側を中心に回動可能となる（図３における矢印参照）。
【００４２】
このハンマーシャンク２０は、ハンマー１００が取り付けられる棒状のハンマー取付部材２１と、ハンマーシャンクフレンジ２００に回動自在に取り付けられる二股形状の回動取付部材２２とが結合されてなるものである。
回動取付部材２２には、図４に示したように、ハンマーシャンク２０の一端側（図４における左側）から他端側（図４における右側）に向かって、テーパ状に拡がっている貫通穴２３が設けられており、この貫通穴２３の全長にわたってハンマー取付部材２１が通されている。そして、ハンマー取付部材２１の外周面と貫通穴２３の内周面との間には、リング状のくさび部材２５が打ち込まれており、これによって、ハンマー取付部材２１と回動取付部材２２とが結合されている。
【００４３】
このくさび部材２５は、図５に示したように、スリット２５ａが設けられており、このスリット２５ａの幅を狭める、または、拡げるように変形させることによって、外径を変更可能に構成されている。また、このくさび部材２５は、貫通穴２３の内周面に合わせて、外周面がテーパ状に形成されている。
【００４４】
また、回動取付部材２２には、ハンマーシャンク２０の他端側から一端側に向けてネジ（本発明における抜け防止部材）２４が貫通穴２３周辺にねじ込まれており、このネジ２４の頭部分がくさび部材２５に当接していることによって、くさび部材２５がハンマー取付部材２１の外周面と貫通穴２３の内周面との間から抜けることを防止している。なお、回動取付部材２２には、貫通穴２３周辺にネジ２４をねじ込めるように、上方に突出した突出部２６が設けられている。
【００４５】
このように構成されたハンマーシャンク２０によれば、第１実施形態におけるハンマーシャンク１０と同様に、回動取付部材２２の形状を大きく変更することなく、ハンマー取付部材２１と回動取付部材２２との取付強度を高くすることができる。
【００４６】
また、くさび部材２５により貫通穴２３の内周面およびハンマー取付部材２１の外周面が押圧されることによって、ハンマー取付部材２１と回動取付部材２２とが結合されている。そのため、ハンマー取付部材２１が貫通穴２３から外れにくくなり、ハンマー取付部材２１と回動取付部材２２との取付強度をより高くすることができる。
【００４７】
また、貫通穴２３周辺にねじ込まれたネジ２４によって、ハンマー取付部材２１の外周面と貫通穴２３の内周面との間からくさび部材２５が抜けることを防止している。そのため、くさび部材２５がハンマー取付部材２１と回動取付部材２２との間から抜けてしまうことによって、ハンマー取付部材２１と回動取付部材２２との結合が解除されてしまうといったことを防止できる。
【００４８】
また、貫通穴２３がテーパ状に形成されているため、ハンマーシャンク２０の組立時に、貫通穴２３の内周面がハンマー取付部材２１を通す際の妨げになりにくく、ハンマー取付部材２１を容易に貫通穴２３に通すことができる。さらに、くさび部材２５がリンク状に形成されているため、ハンマー取付部材２１を包み込むように均等にハンマー取付部材２１の外周面を押圧すると共に、貫通穴２３の内周面を均等に押圧することができる。そのため、ハンマー取付部材２１と回動取付部材２２とを結合させる際に、ハンマー取付部材２１が貫通穴２３の中心軸上からずれるといったことが起こりにくく、ハンマー取付部材２１を貫通穴２３の中心軸上に正しく位置させた状態で、ハンマー取付部材２１と回動取付部材２２とを結合させることができる。
【００４９】
また、くさび部材２５に設けられたスリット２５ａの幅を狭める、または、拡げるだけで、スリット２５ａが設けられていない場合よりも容易にくさび部材２５の外径を変更することができる。そのため、くさび部材２５が、貫通穴２３の内周面とハンマー取付部材２１の外周面との間にぴったりと打ち込むことができないような外径となっていた場合でも、貫通穴２３の内周面とハンマー取付部材２１の外周面との隙間に合わせて外径を変更しながらくさび部材２５を打ち込むことができる。
【００５０】
なお、以上説明したハンマーシャンク２０においては、貫通穴２３周辺にねじ込まれたネジ２４によって、ハンマー取付部材２１の外周面と貫通穴２３の内周面との間からくさび部材２５が抜けることを防止するように構成されている。しかし、くさび部材２５が抜けることを防止するために、例えば、釘などを貫通穴２３周辺に打ち込んで、この釘の頭部分をくさび部材２５に当接させておくことによって、くさび部材２５がハンマー取付部材２１の外周面と貫通穴２３の内周面との間から抜けることを防止するように構成してもよい。このように構成した場合でも同様の作用、効果を得ることができる。
【００５１】
［第３実施形態］
ハンマーシャンク３０は、第１実施形態におけるハンマーシャンク１０と同様に、一端側（図１における左側）にハンマー１００が取り付けられて、他端側（図１における右側）がハンマーシャンクフレンジ２００に回動自在に取り付けられるものである。
【００５２】
このハンマーシャンク３０は、図１に示したように、ハンマー１００が取り付けられる棒状のハンマー取付部材３１と、ハンマーシャンクフレンジ２００に回動自在に取り付けられる回動取付部材３２とを嵌合させることによって両者を結合した構造となっている。
【００５３】
ハンマー取付部材３１は、図６に示したように、長さ方向に垂直な断面における木理の方向が同一方向に揃えられている木製材料によって形成されている。なお、ここでいう木理の方向とは、木理の線が延びる方向である（図６における矢印ａ参照）。また、このハンマー取付部材３１の端部には、切り欠き３１ａとして木理の方向と垂直な平面が形成されている。
【００５４】
また、回動取付部材３２には、図７に示したように、貫通穴３３が設けられており、この貫通穴３３の内周側には、ハンマー取付部材３１の切り欠き３１ａと嵌合する凸部３３ａが形成されている。
そして、この貫通穴３３の全長にわたってハンマー取付部材３１が通された状態で、切り欠き３１ａと凸部３３ａとが嵌合することによって、ハンマー取付部材３１と回動取付部材３２とが結合されている。ここで、ハンマー取付部材３１の切り欠き３１ａおよび回動取付部材３２の凸部３３ａは、ハンマー取付部材３１の長さ方向に垂直な断面における木理の方向をハンマーシャンク３０の回動する方向（図６における矢印ｂ参照）を向けた状態で、ハンマー取付部材３１と回動取付部材３２とを嵌合させることができる形状となっている。
【００５５】
このように構成されたハンマーシャンク３０によれば、第１実施形態におけるハンマーシャンク１０および第２実施形態におけるハンマーシャンク２０と同様に、回動取付部材２２の形状を大きく変更することなく、ハンマー取付部材３１と回動取付部材３２との取付強度を高くすることができる。
【００５６】
また、ハンマー取付部材３１と回動取付部材３２とを嵌合部分の形状に合わせて嵌合させるだけで、ハンマー取付部材３１の長さ方向に垂直な断面における木理の方向が、回動取付部材３２の回動する方向に向けられるため、ハンマーシャンク３０を組み立てる際の手間を軽減できる。
【００５７】
なお、以上説明したハンマーシャンク３０においては、木理の方向と垂直な平面が切り欠き３１ａとして形成されており、この切り欠き３１ａと嵌合する凸部３３ａが貫通穴３３の内周側に形成されている。しかし、この切り欠きと凸部の形状は、ハンマー取付部材３１の長さ方向に垂直な断面における木理の方向をハンマーシャンク３０の回動する方向を向けた状態で、ハンマー取付部材３１と回動取付部材３２とを結合することができるような形状であれば、上述した以外の形状となっていてもよい。例えば、図８（ａ）に示したように、ハンマー取付部材３１の先端側に向けて細くなるような傾斜面３１ｂを形成して、この傾斜面３１ｂと嵌合する凸部を貫通穴３３の内周側に形成してもよい。また、図８（ｂ）、図８（ｃ）に示したように、木理の方向と平行な溝３１ｃ、または、垂直な溝３１ｄをハンマー取付部材３１の端面に形成し、この溝３１ｃ、３１ｄと嵌合する凸部を貫通穴３３の内周側に形成してもよい。
【００５８】
［第４実施形態］
ハンマーシャンク４０は、グランドピアノのアクション機構の一部を構成するものであって、図９に示すように、一端側（図９における左側）にハンマー１００が取り付けられて、他端側（図９における右側）がハンマーシャンクフレンジ２００に回動自在に取り付けられるものである。こうしてハンマーシャンク４０は、ハンマーシャンクフレンジ２００に取り付けられた他端側を中心に回動可能となる（図９における矢印参照）。
【００５９】
このハンマーシャンク４０は、ハンマー１００が取り付けられる棒状のハンマー取付部材４１と、ハンマーシャンクフレンジ２００に回動自在に取り付けられる二股形状の回動取付部材４２とが、円筒状の結合部材４７によって結合されたものである。
【００６０】
回動取付部材４２は、図１０に示したように、貫通穴４３、貫通穴４３を延長する方向に延出していて、ハンマー取付部材４１を嵌合可能な第１筒状部４２ａ、第１筒状部４２ａの外周面に設けられた雄ねじ部４２ｂ、第１筒状部４２ａから第１筒状部４２ａの長さ方向に延出する第２筒状部４２ｃなどを備えている。
【００６１】
また、結合部材４７は、結合部材４７の内周面に設けられた雌ねじ部４７ａおよびテーパ部４７ｂを備えている。
また、第２筒状部４２ｃには、図１１に示したように、スリット４２ｄが４箇所に設けられており、このスリット４２ｄの幅を狭める、または、拡げるように変形させることによって、外径を変更可能に構成されている。
【００６２】
このハンマーシャンク４０は、図１０（ａ）に示したように、ハンマー取付部材４１を、結合部材４７に通し、回動取付部材４２に備えられている貫通穴４３の全長にわたって通した後、回動取付部材４２の雄ねじ部４２ｂと、結合部材４７の雌ねじ部４７ａとを螺合させて、結合部材４７を回動取付部材４２に接近させることによって、結合部材４７のテーパ部４７ｂが、図１０（ｂ）に示したように、回動取付部材４２の第２筒状部４２ｃを介してハンマー取付部材４１を押圧する。こうして、ハンマー取付部材４１と回動取付部材４２とが結合される。
【００６３】
このように構成されたハンマーシャンク４０によれば、雄ねじ部４２ｂと雌ねじ部４７ａの螺合箇所においてねじがゆるむ方向へ結合部材４７を回転させると、結合部材４７のテーパ部４７ｂから第２筒状部４２ｃを介してハンマー取付部材４１に作用する押圧力が弱まるので、ハンマー取付部材４１と回動取付部材４２との相対的な位置関係を任意に変更できる状態になる。また、ハンマー取付部材４１と回動取付部材４２との相対的な位置関係を最適化した後は、雄ねじ部４２ｂと雌ねじ部４７ａの螺合箇所においてねじが締まる方向へ結合部材４７を回転させると、結合部材４７のテーパ部４７ｂから第２筒状部４２ｃを介してハンマー取付部材４１に作用する押圧力が強まるので、ハンマー取付部材４１と回動取付部材４２との相対的な位置関係が固定される。したがって、ハンマーシャンク４０にねじれが発生して、ハンマー１００が傾いてしまった場合でも、結合部材４７を回転させるという簡単な操作によって、ハンマー取付部材４１と回動取付部材４２との相対的な位置関係を調節し、ハンマー１００の傾きを容易に矯正することができる。
【００６４】
また、ハンマー取付部材４１の外周面は、第２筒状部４２ｃの内周面全体で押圧されるため、ハンマー取付部材４１に第２筒状部４２ｃが食い込みにくく、ハンマー取付部材４１の損傷を防止できる。これによって、ハンマー取付部材４１と回動取付部材４２との結合および結合解除を繰り返した後でも、両者をネジ止めする場合のネジ穴のように大きな損傷が残らないため、ネジ止めする場合よりも両者を高い取付強度で結合することができる。
【００６５】
また、第２筒状部４２ｃに設けられたスリット４２ｄの幅を狭める、または、拡げるだけで、スリットが設けられていない場合よりも容易に第２筒状部４２ｃの外径を変更することができる。そのため、回動取付部材４２の雄ねじ部４２ｂと結合部材４７の雌ねじ部４７ａとを螺合させる際、結合部材４７のテーパ部４７ｂにより押圧される第２筒状部４２ｃの外径が容易に変形するため、スリット４２ｄが設けられていない場合よりも容易にハンマー取付部材４１と回動取付部材４２とを結合させることができる。
【００６６】
なお、以上説明したハンマーシャンク４０においては、第２筒状部４２ｃが、第１筒状部４２ａと一体に構成されている。しかし、この第２筒状部４２ｃを第１筒状部４２ａと別体に構成してもよい。このように構成すれば、第２筒状部４２ｃを第１筒状部４２ａとは異なる材料で形成することができる。これによって、例えば、ハンマー取付部材４１の第２筒状部４２ｃにより押圧される位置の損傷を防止するために第１筒状部４２ａよりも柔らかい材料で第２筒状部４２ｃを形成するといったことが可能になる。
【００６７】
［変形例］
以上、本発明の実施形態について説明したが、本発明は上記の具体的な実施形態に限定されず、この他にも様々な形態で実施することができる。
例えば、第１、第２、第３実施形態のハンマーシャンク１０において、ハンマー取付部材１１、２１、３１と回動取付部材１２、２２、３２とを、第４実施形態のハンマーシャンク４０と同様に、結合部材４７によって結合するように構成してもよい。このように構成すれば、上述した作用、効果の他に、ハンマー取付部材１１、２１、３１と回動取付部材１２、２２、３２との結合および結合解除を容易に行うことができるようになる。
【００６８】
［参考例］
本発明における請求項７に記載のハンマーシャンクは、グランドピアノのアクション機構の一部を構成するものである。しかし、このようなハンマーシャンクの構造は、アップライトピアノにおけるハンマーシャンクとバットを結合するための結合構造に採用することもできる。
【００６９】
具体的な例としては、アップライトピアノのアクション機構において、棒状のハンマーシャンクと所定の取付位置に回動自在に取り付けられるバットとを結合するための結合構造であって、前記ハンマーシャンクと前記バットとの嵌合部分の形状が、前記ハンマーシャンクの長さ方向に垂直な断面における木理の方向を前記バットの回動する方向に向けることにより、前記ハンマーシャンクと前記バットとを嵌合させることができるようになる形状となっている、といった結合構造である。
【００７０】
このように構成すれば、上述した請求項７に記載のハンマーシャンクと同様に、ハンマーシャンクとバットとを嵌合部分の形状に合わせて嵌合させるだけで、ハンマーシャンクの長さ方向に垂直な断面における木理の方向が、バットの回動する方向に向けられるため、ハンマーシャンクとバットを結合する際の手間を軽減させることができる。
【００７１】
また、請求項８から請求項１０に記載のハンマーシャンクは、グランドピアノのアクション機構の一部を構成するものである。しかし、このようなハンマーシャンクの構造は、アップライトピアノにおけるハンマーシャンクとバットを結合するための結合構造に採用することもできる。
【００７２】
具体的な例としては、アップライトピアノのアクション機構において、棒状のハンマーシャンクと所定の取付位置に回動自在に取り付けられるバットとを、筒状の結合部材によって結合するための結合構造であって、前記バットが、前記ハンマーシャンクを嵌合可能な第１筒状部と、該第１筒状部の外周面に設けられた雄ねじ部と、前記第１筒状部から該第１筒状部の長さ方向に延出する第２筒状部とを備え、前記結合部材が、該結合部材の内周面に設けられた雌ねじ部およびテーパ部を備えており、前記バットの前記雄ねじ部と、前記結合部材の前記雌ねじ部とを螺合させて、前記結合部材を前記バットに接近させることに伴い、前記結合部材の前記テーパ部が、前記バットの前記第２筒状部を介して前記ハンマーシャンクを押圧することによって、前記ハンマーシャンクと前記バットとが結合されている、といった結合構造である。
【００７３】
このように構成すれば、上述した請求項８に記載のハンマーシャンクと同様に、ハンマーシャンクにねじれが発生して、ハンマーが傾いてしまった場合でも、結合部材を回転させるという簡単な操作によって、ハンマーシャンクとバットとの相対的な位置関係を調節し、ハンマーの傾きを容易に矯正することができる。また、ハンマーシャンクの外周面は、第２筒状部の内周面全体で押圧されるため、ハンマーシャンクに第２筒状部が食い込みにくく、ハンマーシャンクの損傷を防止できる。これによって、ハンマーシャンクとバットとの結合および結合解除を繰り返した後でも、両者を高い取付強度で結合することができる。
【００７４】
また、この結合構造において、前記バットの前記第２筒状部にスリットが設けられており、該スリットの幅を狭める、または、拡げるように前記第２筒状部を変形させることにより、該第２筒状部の外径を変更可能に構成してもよい。
このように構成すれば、上述した請求項９に記載のハンマーシャンクと同様に、第２筒状部に設けられたスリットの幅を狭める、または、拡げるだけで、スリットが設けられていない場合よりも容易に第２筒状部の外径を変更することができる。そのため、バットの雄ねじ部と結合部材の雌ねじ部とを螺合させる際、結合部材のテーパ部により押圧される第２筒状部の外径が容易に変形するため、スリットが設けられていない場合よりもハンマーシャンクとバットとを容易に結合させることができる。
【００７５】
さらに、この結合構造において、前記バットの前記第２筒状部が、前記第１筒状部とは別体の部材によって形成されていてもよい。
このように構成すれば、上述した請求項１０に記載のハンマーシャンクと同様に、第２筒状部を第１筒状部とは異なる材料で形成することができる。これによって、例えば、ハンマーシャンクの第２筒状部により押圧される位置の損傷を防止するために第１筒状部よりも柔らかい材料で第２筒状部を形成するといったことが可能になる。
【図面の簡単な説明】
【図１】第１、第３実施形態におけるハンマーシャンクを示す斜視図
【図２】ハンマーシャンクの要部を示す縦断面図
【図３】第２実施形態におけるハンマーシャンクを示す斜視図
【図４】ハンマーシャンクの要部を示す縦断面図
【図５】くさび部材を示す正面図（ａ）および側面図（ｂ）
【図６】第３実施形態におけるハンマーシャンクを示す斜視図
【図７】ハンマーシャンクの要部を示す縦断面図
【図８】別の実施形態におけるハンマー取付部材を示す斜視図
【図９】第４実施形態におけるハンマーシャンクを示す斜視図
【図１０】ハンマー取付部材と回動取付部材とを結合する手順を示す縦断面図
【図１１】回動取付部材の第２筒状部を示す斜視図
【図１２】従来のハンマーシャンクを示す斜視図
【図１３】従来のハンマーシャンクにおける弦を打撃する様子を示す図
【符号の説明】
１０・・・ハンマーシャンク、１１・・・ハンマー取付部材、１２・・・回動取付部材、１３・・・貫通穴、１４・・・ネジ、２０・・・ハンマーシャンク、２１・・・ハンマー取付部材、２２・・・回動取付部材、２３・・・貫通穴、２４・・・ネジ、２５・・・くさび部材、２５ａ・・・スリット、２６・・・突出部、３０・・・ハンマーシャンク、３１・・・ハンマー取付部材、３２・・・回動取付部材、３３・・・貫通穴、３１ａ・・・切り欠き、３３ａ・・・凸部、
４０・・・ハンマーシャンク、４１・・・ハンマー取付部材、４２・・・回動取付部材、４２ａ・・・第１筒状部、４２ｂ・・・雄ねじ部、４２ｃ・・・第２筒状部、４２ｄ・・・スリット、４３・・・貫通穴、４７・・・結合部材、４７ａ・・・雌ねじ部、４７ｂ・・・テーパ部。
【図１】
0003801510.tif 000002
【図２】
0003801510.tif 000003
【図３】
0003801510.tif 000004
【図４】
0003801510.tif 000005
【図５】
0003801510.tif 000006
【図６】
0003801510.tif 000007
【図７】
0003801510.tif 000008
【図８】
0003801510.tif 000009
【図９】
0003801510.tif 000010
【図１０】
0003801510.tif 000011
【図１１】
0003801510.tif 000012
【図１２】
0003801510.tif 000013
【図１３】
0003801510.tif 000014